(57)【要約】  光コネクタプラグ（１）は、光ファイバが内蔵される光コネクタ（２）と、光コネクタ（２）が収容されるカバー部材（３）と、を備えている。カバー部材（３）は、光コネクタ（２）の前端面よりも前方に突出するように設けられた一組の張出部（３３，３４）を備えている。一組の張出部（３３，３４）同士の間には、空間部である一組の切り欠き部（３５，３６）が設けられ、一組の切り欠き部（３５，３６）同士は光コネクタ（２）を中心に対向する位置に配置されている。
2016136592.tif 000002
【特許請求の範囲】
【請求項１】
光ファイバを内蔵する光コネクタと、
前記光コネクタが収容されるカバー部材と、を備えた光コネクタプラグであって、
前記カバー部材は、前記光コネクタの前端面よりも前方に突出するように設けられた一組の張出部を備え、
前記一組の張出部同士の間には、空間部である一組の切り欠き部が設けられ、
前記一組の切り欠き部同士は前記光コネクタを中心に対向する位置に配置されている、光コネクタプラグ。
【請求項２】
前記カバー部材は、外部ハウジングと、前記光コネクタを前記外部ハウジングに取付けるための取付部材とを含み、
前記取付部材は、前記一組の張出部を一体的に備えているとともに、前記外部ハウジングの内部に挿入可能であって、前記光コネクタの形状に応じた構造を有している、請求項１に記載の光コネクタプラグ。
【請求項３】
前記取付部材は、前記外部ハウジング内に挿入された状態で前記外部ハウジングの長手方向に沿って移動可能である、請求項２に記載の光コネクタプラグ。
【請求項４】
前記外部ハウジングは、前記光コネクタが光コネクタ用レセプタクルに収容されたアダプタと結合されるときに前記長手方向に沿って前記光コネクタ用レセプタクルとは反対側へ付勢される、請求項３に記載の光コネクタプラグ。
【請求項５】
前記外部ハウジングの前面部には前記光コネクタ用レセプタクル側に突出する突起部が設けられ、
前記突起部は、前記光コネクタと前記アダプタとの結合時に、前記光コネクタ用レセプタクルの内面に設けられた弾性部材と当接する、請求項４に記載の光コネクタプラグ。
【請求項６】
前記突起部は、前記一組の切欠き部の一方または両方に相当する位置に配置されている、請求項５に記載の光コネクタプラグ。
【請求項７】
前記外部ハウジングと前記取付部材とは、互いに係合する凹凸構造を備え、当該凹凸構造によって前記取付部材が前記長手方向に沿って移動可能である、請求項３から請求項６のいずれか一項に記載の光コネクタプラグ。
【請求項８】
前記光コネクタを前記カバー部材に取付けるための取付部材であって、前記カバー部材の内部であって前記カバー部材の長手方向における中央部近傍に挿入可能な取付部材を、さらに備え、
前記取付部材は、前記光コネクタの形状に応じた構造を有している、請求項１に記載の光コネクタプラグ。
【請求項９】
前記取付部材は、前記張出部と係合されて前記カバー部材に固定可能である、請求項８に記載の光コネクタプラグ。
【請求項１０】
前記カバー部材は、前記一組の張出部を一体的に備えている、請求項８または９に記載の光コネクタプラグ。
【請求項１１】
前記一組の張出部の外面には前記カバー部材の長手方向に沿って溝部が形成され、前記溝部は光コネクタ用レセプタクルの内面に形成される凸部と係合可能である、請求項１から請求項１０のいずれか一項に記載の光コネクタプラグ。
【請求項１２】
可撓性を有する保護管であって、その一端側が前記カバー部材の後端側に結合され、他端側にはケーブルグランドを備えた保護管をさらに備えている、請求項１から請求項１１のいずれか一項に記載の光コネクタプラグ。
【請求項１３】
光コネクタ用レセプタクルと結合可能であって前記カバー部材が挿通される結合部材をさらに備え、
前記カバー部材の外周には前記結合部材と互いに着脱容易に係合する係合部が設けられている、請求項１から請求項１２のいずれか一項に記載の光コネクタプラグ。
【請求項１４】
請求項１から請求項１３のいずれか一項に記載の光コネクタプラグに内蔵される前記光コネクタと接続可能なアダプタと、前記アダプタを収容する収容部と、を備えた光コネクタ用レセプタクルであって、
前記収容部の内面に弾性部材が設けられ、
前記弾性部材は、前記光コネクタと前記アダプタとが接続された状態で、前記カバー部材を前記アダプタとは反対側に付勢する、光コネクタ用レセプタクル。
【請求項１５】
前記弾性部材は、その一部が前記内面から露出されている、請求項１４に記載の光コネクタ用レセプタクル。
【請求項１６】
前記収容部の内面には、前記光コネクタプラグの前記一組の張出部と係合可能な凸部が設けられている、請求項１４または請求項１５に記載の光コネクタ用レセプタクル。
【請求項１７】
請求項１から請求項１３のいずれか一項に記載の光コネクタプラグと、請求項１４から請求項１６のいずれか一項に記載の光コネクタ用レセプタクルとが互いに結合可能である、光コネクタ接続構造。
【発明の詳細な説明】
【技術分野】
【０００１】
本発明は、光ファイバコードの端部に取り付けられる光コネクタを内蔵する光コネクタプラグ、当該光コネクタプラグと接続する光コネクタ用レセプタクル、および光コネクタ接続構造に関する。
【背景技術】
【０００２】
特許文献１には、フェルールを支持するコネクタ部材と、フェルールの突き合わせ方向に沿って張り出して相手コネクタと結合する結合部材と、コネクタ部材および結合部材を支持する本体部とを備えた防水コネクタが開示されている。
また、特許文献２には、内蔵された光コネクタの前端面よりも突出する円筒状の張出部を備えた光コネクタ用ハウジングが開示されている。
【先行技術文献】
【特許文献】
【０００３】
【特許文献１】日本国特許４５７７７９３号公報
【特許文献２】日本国意匠登録１４９０８１７号公報
【発明の概要】
【発明が解決しようとする課題】
【０００４】
特許文献１に記載された防水コネクタは、コネクタ部材の端面がコネクタ部材を支持する本体部の端面よりも突出しているため、コネクタ部材の端面に汚れや傷がつきやすい。
また、特許文献２に図示された光コネクタ用ハウジングにおいては、光コネクタの端面が光コネクタの周囲に設けられた円筒状の張出部の端面よりも内側に後退しているため、光コネクタの端面の観察や清掃作業が困難である。【０００５】
本発明は、光コネクタの前端面を保護することができるとともに、光コネクタの前端面および側面の状態が容易に観察可能で、光コネクタ端面の清掃作業も容易な光コネクタプラグを提供することを目的とする。併せて、当該光コネクタプラグと接続する光コネクタ用レセプタクル、および光コネクタプラグと光コネクタ用レセプタクルとが接続された状態の光コネクタ接続構造を提供することを目的とする。
【課題を解決するための手段】
【０００６】
上記の目的を達成するために、本発明の光コネクタプラグは、
光ファイバを内蔵する光コネクタと、
前記光コネクタが収容されるカバー部材と、を備えた光コネクタプラグであって、
前記カバー部材は、前記光コネクタの前端面よりも前方に突出するように設けられた一組の張出部を備え、
前記一組の張出部同士の間には、空間部である一組の切り欠き部が設けられ、
前記一組の切り欠き部同士は前記光コネクタを中心に対向する位置に配置されている。【０００７】
上記の目的を達成するために、本発明の光コネクタ用レセプタクルは、
上記に記載の光コネクタプラグに内蔵される前記光コネクタと接続可能なアダプタと、前記アダプタを収容する収容部と、を備えた光コネクタ用レセプタクルであって、
前記収容部の内面に弾性部材が設けられ、
前記弾性部材は、前記光コネクタと前記アダプタとが接続された状態で、前記カバー部材を前記アダプタとは反対側に付勢する。【０００８】
上記の目的を達成するために、本発明の光コネクタ接続構造は、
上記に記載の光コネクタプラグと、上記に記載の光コネクタ用レセプタクルとが互いに結合可能である。
【発明の効果】
【０００９】
本発明によれば、光コネクタの前端面を保護することができるとともに、光コネクタの前端面および側面の状態が容易に観察可能で、光コネクタ端面の清掃作業も容易な光コネクタプラグ、当該光コネクタプラグと接続する光コネクタ用レセプタクル、および光コネクタ接続構造を提供することができる。
【図面の簡単な説明】
【００１０】
【図１】本発明に係る光コネクタプラグが光コネクタ用レセプタクルに取り付けられた状態を示す斜視図である。
【図２】図１の光コネクタプラグおよび光コネクタ用レセプタクルの分解図である。
【図３】光コネクタ用レセプタクルの斜視図である。
【図４】図１の光コネクタプラグが備える光コネクタの斜視図である。
【図５】（ａ）は図４の光コネクタを覆うカバー部材の正面斜視図であり、（ｂ）は当該カバー部材の背面斜視図である。
【図６】（ａ）は光コネクタをカバー部材へ取り付けるための取付部材の正面斜視図であり、（ｂ）は当該取付部材の背面斜視図である。
【図７】光コネクタが取付部材を介してカバー部材に取り付けられた状態を示す斜視図である。
【図８】（ａ）は図７の取付状態を示す側面図であり、（ｂ）は図７の取付状態を示す正面図である。
【図９】第二実施形態に係る光コネクタプラグ、および光コネクタプラグと嵌合可能な光コネクタ用レセプタクルを示す斜視図である。
【図１０】図９に示す光コネクタプラグおよび光コネクタ用レセプタクルの分解図である。
【図１１】（ａ）は、図１０に示す取付部材の正面斜視図であり、（ｂ）は取付部材の底面斜視図である。
【図１２】図１０に示す押さえ部材の斜視図である。
【図１３】第二実施形態に係る光コネクタプラグが組立てられた状態を示す断面図である。
【図１４】第三実施形態に係る光コネクタプラグ、および光コネクタ用レセプタクルの分解図である。
【図１５】第三実施形態に係る光コネクタプラグが組立てられた状態を示す断面図である。
【図１６】第四実施形態に係る光コネクタプラグ、および光コネクタプラグと嵌合可能な光コネクタ用レセプタクルを示す斜視図である。
【図１７】図１６に示す光コネクタプラグおよび光コネクタ用レセプタクルの分解図である。
【図１８】（ａ）は、図１６に示す光コネクタ用レセプタクルの斜視図であり、（ｂ）は、光コネクタ用レセプタクルの内面に弾性部材が取り付けられた状態の斜視図であり、（ｃ）は、光コネクタ用レセプタクルの内面に弾性部材が取り付けられた状態の後面図である。
【図１９】（ａ）は、図１６に示す外部ハウジングの前面側斜視図であり、（ｂ）は、外部ハウジングの後面側斜視図であり、（ｃ）は、外部ハウジングにＯリングが取り付けられた状態の側面図である。
【図２０】（ａ）は、図１６に示す係合部材の斜視図であり、（ｂ）は、係合部材と外部ハウジングとの組付状態を示す斜視図である。
【図２１】（ａ）は、図１７に示すコネクタホルダの側面図であり、（ｂ）は、コネクタホルダの後面図である。
【図２２】（ａ）は、図１７に示す保護部材の前面側斜視図であり、（ｂ）は、保護部材の後面側斜視図である。
【図２３】光コネクタが取り付けられた取付部材と外部ハウジングとの組立状態を示す斜視図である。
【図２４】第四実施形態に係る光コネクタプラグが組立てられ、光コネクタ用レセプタクルと嵌合した状態を示す断面斜視図である。
【図２５】第五実施形態に係る光コネクタプラグ、および光コネクタプラグと嵌合可能な光コネクタ用レセプタクルを示す斜視図である。
【図２６】図２５に示す光コネクタプラグおよび光コネクタ用レセプタクルの分解図である。
【図２７】（ａ）は図２５に示す光コネクタプラグの保護管およびケーブルグラントを示す側面図であり、（ｂ）は、（ａ）のＡ−Ａ線断面図である。
【図２８】第六実施形態に係る光コネクタプラグの斜視図である。
【図２９】（ａ）は、図２８に示す光コネクタプラグの結合部材の斜視図であり、（ｂ）は、図２８に示す光コネクタプラグのカバー部材に取り付けられる係合部材の斜視図である。
【図３０】（ａ）は、図２８に示す光コネクタプラグのＢ−Ｂ線断面図であり、（ｂ）は、係合部材が結合部材と非係合である場合の（ａ）と同様の断面図である。
【発明を実施するための形態】
【００１１】
[本願発明の実施形態の説明]
最初に本願発明の実施形態の内容を列記して説明する。
本願発明の実施形態に係る光コネクタプラグは、
（１）光ファイバを内蔵する光コネクタと、
前記光コネクタが収容されるカバー部材と、を備えた光コネクタプラグであって、
前記カバー部材は、前記光コネクタの前端面よりも前方に突出するように設けられた一組の張出部を備え、
前記一組の張出部同士の間には、空間部である一組の切り欠き部が設けられ、
前記一組の切り欠き部同士は前記光コネクタを中心に対向する位置に配置されている。
この構成によれば、光コネクタの前端面をカバー部材の張出部によって簡易的に保護することができる。また、張出部が光コネクタの周方向における全周を覆っていないため、光コネクタの前端面および側面の状態が一組の切欠き部から容易に観察可能である。さらに、一組の切欠き部があることにより、光コネクタ前端面の清掃作業も容易に行うことができる。
【００１２】
（２）前記カバー部材は、外部ハウジングと、前記光コネクタを前記外部ハウジングに取付けるための取付部材とを含み、
前記取付部材は、前記一組の張出部を一体的に備えているとともに、前記外部ハウジングの内部に挿入可能であって、前記光コネクタの形状に応じた構造を有している。
この構成によれば、光コネクタプラグの組立時の作業効率を向上させることができる。
【００１３】
（３）前記取付部材は、前記外部ハウジング内に挿入された状態で前記外部ハウジングの長手方向に沿って移動可能である。
この構成によれば、取付部材が備える一組の張出部の接続先であるレセプタクルの形状の差異や寸法誤差を吸収することができ、光コネクタプラグとレセプタクルとの適切な接続を図ることができる。
【００１４】
（４）前記外部ハウジングは、前記光コネクタが光コネクタ用レセプタクルに収容されたアダプタと結合されるときに前記長手方向に沿って前記光コネクタ用レセプタクルとは反対側へ付勢される。
この構成によれば、光コネクタプラグが光コネクタ用レセプタクルと嵌合される際に光コネクタに対して加えられる押圧力を適切に開放することができる。
【００１５】
（５）前記外部ハウジングの前面部には前記光コネクタ用レセプタクル側に突出する突起部が設けられ、
前記突起部は、前記光コネクタと前記アダプタとの結合時に、前記光コネクタ用レセプタクルの内面に設けられた弾性部材と当接する。
この構成によれば、光コネクタプラグと光コネクタ用レセプタクルとの嵌合時に光コネクタへ加えられる押圧力の開放を容易に行うことができる。
【００１６】
（６）前記突起部は、前記一組の切欠き部の一方または両方に相当する位置に配置されている。
この構成によれば、一組の張出部と干渉しない位置に少なくとも一つの突起部を設けることができる。
【００１７】
（７）前記外部ハウジングと前記取付部材とは、互いに係合する凹凸構造を備え、当該凹凸構造によって前記取付部材が前記長手方向に沿って移動可能である。
この構成によれば、外部ハウジングに対して取付部材を容易に摺動させることができる。
【００１８】
（８）前記光コネクタを前記カバー部材に取付けるための取付部材であって、前記カバー部材の内部であって前記カバー部材の長手方向における中央部近傍に挿入可能な取付部材を、さらに備え、
前記取付部材は、前記光コネクタの形状に応じた構造を有している。
この構成によれば、一般的に普及している様々な光コネクタの形状に応じて異なる構造の取付部材を用いることで、光コネクタプラグのその他の部品を共通化することができる。
【００１９】
（９）前記取付部材は、前記張出部と係合されて前記カバー部材に固定可能である。
この構成によれば、光コネクタをカバー部材に取り付けた後でも、張出部に固定された取付部材を容易に取り外すことができる。
【００２０】
（１０）前記カバー部材は、前記一組の張出部を一体的に備えている。
この構成によれば、異なる形状の光コネクタを、カバー部材を介してレセプタクルに容易に接続することができる。
【００２１】
（１１）前記一組の張出部の外面には前記カバー部材の長手方向に沿って溝部が形成され、前記溝部は光コネクタ用レセプタクルの内面に形成される凸部と係合可能である。
この構成によれば、一組の張出部が光コネクタ用レセプタクルと適切な位置で係合可能である。
【００２２】
（１２）可撓性を有する保護管であって、その一端側が前記カバー部材の後端側に結合され、他端側にはケーブルグランドを備えた保護管をさらに備えている。
この構成によれば、可塑性を備えた保護管を備えることで、光コネクタプラグ内の光コネクタに接続される光ファイバを適切に保護しつつ、ケーブルグランド後端側に導出する光ファイバケーブルが曲げられた際にも当該ケーブルの曲げに追随して保護管を曲げることができ、光コネクタに与えられる歪みを低減させることができる。
【００２３】
（１３）光コネクタ用レセプタクルと結合可能であって前記カバー部材が挿通される結合部材をさらに備え、
前記カバー部材の外周には前記結合部材と互いに着脱容易に係合する係合部が設けられている。
この構成によれば、結合部材の回転や摺動をロックすることができ、光コネクタとアダプタとが適切に接続されていない状態での結合部材の光コネクタ用レセプタクルへの誤嵌合を防ぐことができる。
【００２４】
本願発明の実施形態に係る光コネクタ用レセプタクルは、
（１４）上記に記載の光コネクタプラグに内蔵される前記光コネクタと接続可能なアダプタと、前記アダプタを収容する収容部と、を備えた光コネクタ用レセプタクルであって、
前記収容部の内面に弾性部材が設けられ、
前記弾性部材は、前記光コネクタと前記アダプタとが接続された状態で、前記カバー部材を前記アダプタとは反対側に付勢する。
この構成によれば、光コネクタプラグが光コネクタ用レセプタクルと嵌合される際に光コネクタへ加えられる押圧力を適切に開放することができる。
【００２５】
（１５）前記弾性部材は、その一部が前記内面から露出されている。
この構成によれば、光コネクタ用レセプタクルに対する弾性部材の取付性を向上させることができる。
【００２６】
（１６）前記収容部の内面には、前記光コネクタプラグの前記一組の張出部と係合可能な凸部が設けられている。
この構成によれば、光コネクタ用レセプタクルと一組の張出部とが適切な位置で係合可能である。
【００２７】
本願発明の実施形態に係る光コネクタ接続構造は、
（１７）上記に記載の光コネクタプラグと、上記に記載の光コネクタ用レセプタクルとが互いに結合可能である。
この構成によれば、光コネクタプラグが光コネクタ用レセプタクルと嵌合される際に光コネクタに対して与えられる押圧力を適切に開放することができる光コネクタ接続構造を提供することができる。
【００２８】
[本願発明の実施形態の詳細]
以下、添付図面を参照して、本発明の好適な実施形態について詳細に説明する。なお、図面の説明において同一又は相当要素には同一符号を付し、重複する説明は省略する。
【００２９】
（第一実施形態）
図１は、第一実施形態に係る光コネクタプラグが光コネクタ用レセプタクルに取り付けられた状態を示す斜視図である。図２は、図１に示す光コネクタプラグおよび光コネクタ用レセプタクルの分解図である。以下、光コネクタ用レセプタクル側（図１の左側）を光コネクタプラグの前方側とし、反対側（図１の右側）を光コネクタプラグの後方側として説明する。
【００３０】
図１および図２に示すように、光コネクタプラグ１は、光コネクタ用レセプタクル（以下、レセプタクルとする）１０に着脱自在に取り付け可能である。
光コネクタプラグ１は、光コネクタ２と、光コネクタ２が収容されるカバー部材３と、を備えている。さらに、光コネクタプラグ１は、取付部材４と、結合部材５と、ブーツ６とを備えている。結合部材５は、光コネクタプラグ１をレセプタクル１０と結合させるための部材であって、カバー部材３の周囲に摺動可能に設けられている。ブーツ６は、カバー部材３の後端部に連結され、後述の光ファイバコードＣを覆っている。これにより、光ファイバコードＣに急激な曲げが作用しないように光ファイバコードＣが保護されている。なお、各部材間にはＯリング７が配置され、光コネクタプラグ１を組み立てた際および光コネクタプラグ１をレセプタクル１０に取り付けた際の防水性を担保している。
【００３１】
図３は、レセプタクル１０の斜視図である。
図３に示すように、レセプタクル１０は、ネジ穴を貫通させたネジＳによって例えば壁面（不図示）に固定して用いられる。レセプタクル１０は、光コネクタプラグ１側に張り出した筒状部１２を有している。筒状部１２内には、光コネクタ２と接続可能なアダプタ１４が設けられている。筒状部１２の内周面には、後述のカバー部材３の張出部を受け入れるための凹部１２Ａおよび凸部１２Ｂが設けられている。筒状部１２の外周面の後端側には、略Ｌ字状の固定溝１６が設けられている。本例においては、固定溝１６は、筒状部１２の外周に沿って例えば３箇所に配置されている。一方、光コネクタプラグ１の結合部材５の内部には、レセプタクル１０の各固定溝１８に対応する不図示の突起部が設けられている。光コネクタプラグ１をレセプタクル１０に固定する際には、筒状部１２の固定溝１６に沿って結合部材５の突起を押し込む。これにより、光コネクタプラグ１は、いわゆるバヨネットロック方式でレセプタクル１０に接続される。
【００３２】
図４は、光コネクタ２の斜視図である。
図４に示すように、光コネクタ２は、フェルール２１と、フェルール２１を保持するコネクタハウジング２２と、コネクタハウジング２２の後端側に連結されるリアハウジング２３と、を備えている。光コネクタ２は、光ケーブルに内包された光ファイバコードＣが組み付けられるＳＣコネクタである。光ファイバコードＣは、不図示の光ファイバ心線、光ファイバ心線を覆う抗張力繊維、および抗張力繊維を被覆する外被を有している。光ファイバ心線は、コアとクラッドを有する例えば直径１２５μｍのガラス光ファイバの周囲に紫外線硬化型樹脂（ＵＶ樹脂）が被覆され、その外径が例えば２５０μｍとされ、用途に応じて更にその周囲をナイロン樹脂等で直径９００μｍに被覆されている。外被を構成する樹脂としては、特に、難燃ポリエチレンが用いられることが好ましい。光コネクタ２は、レセプタクル１０に内蔵されるアダプタ１４に装着可能である。
【００３３】
フェルール２１は、その前端面がコネクタハウジング２２の前端面から突出して配置されている。フェルール２１にはその周方向の中央部に、不図示の挿入孔がフェルール２１の長手方向に沿って設けられている。この挿入孔に、光ファイバコードＣから引き出された光ファイバ心線からさらに露出されたガラスファイバが挿入される。
【００３４】
コネクタハウジング２２は、中空の部材であり、その内部にフェルール２１を保持する。コネクタハウジング２２のフェルール２１が突出する側と反対側を後端部２４とする。また、リアハウジング２３は、コネクタハウジング２２の後端側から後方に向けて突出するように、コネクタハウジング２２に連結されている。リアハウジング２３には、その後端側から光ファイバコードＣが導入される。
【００３５】
図５（ａ）は、光コネクタ２を覆うカバー部材３の正面斜視図であり、図５（ｂ）はカバー部材３の背面斜視図である。
図５（ａ），（ｂ）に示すように、カバー部材３は、樹脂製の部材であって、収容部３１と、フランジ部３２と、一組の張出部３３，３４とを有している。収容部３１は略円筒状であって、その内部に光コネクタ２の後端側が収容される。フランジ部３２は、収容部３１の前端面において収容部３１の外周よりも拡径するように設けられている。フランジ部３２の外周には、溝部３２Ａが例えば３箇所に設けられている。これに対し、結合部材５の内側には、フランジ部３２の各溝部３２Ａに対応する位置に不図示の突起が設けられている。結合部材５の突起がフランジ部３２の溝部３２Ａを通過することで、カバー部材３の周囲を覆う結合部材５が、カバー部材３に対してスライド可能な構造を有している。
【００３６】
一組の張出部３３，３４は、収容部３１およびフランジ部３２と一体的に形成されている。一組の張出部３３，３４は、フランジ部３２を介して、収容部３１の前方に向けて突出するように配置されている。一組の張出部３３，３４のうち図５（ａ）の上部に配置された上部張出部３３は、その長手方向に直交する断面において横長状の四角柱である。上部張出部３３の上面部には、その長手方向中央部に沿って凸部３３Ａが設けられている。当該凸部３３Ａは、レセプタクル１０の筒状部１２に設けられた凹部１２Ａの形状と一致するように形成されている。また、張出部３３には、凸部３３Ａをその長手方向において分断するように、開口部３３Ｂが設けられている。
【００３７】
図５（ａ）の下部に配置された下部張出部３４は、図５（ａ），（ｂ）および図８（ｂ）に示すように、上部張出部３３と対向するように略平行に設けられている。下部張出部３４の下面部には、その長手方向中央部に沿って凹部３４Ａが設けられている。当該凹部３４Ａは、レセプタクル１０の筒状部１２に設けられた凸部１２Ｂの形状と一致するように形成されている。また、下部張出部３４には、凹部３４Ａをその長手方向において分断するように、開口部３４Ｂが設けられている。
【００３８】
上部張出部３３と下部張出部３４との間には、収容部３１から突出する光コネクタ２の前端部が収容される空間部が設けられている。本実施形態においては、上部張出部３３の一方の側面３３Ｃと下部張出部３４の一方の側面３４Ｃとの間の空間部を切欠き部３５とし、上部張出部３３の他方の側面３３Ｄと下部張出部３４の他方の側面３４Ｄとの間の空間部を切り欠き部３６とする。一組の切欠き部３５，３６同士は、光コネクタ２がカバー部材３に取り付けられた状態において、光コネクタ２を中心として対向する位置に設けられている。すなわち、光コネクタ２の長手方向に直交する方向の同一平面において、光コネクタ２と、切欠き部３５および切欠き部３６とが直線上に配置されている。
【００３９】
図６（ａ）は取付部材４の正面斜視図であり、図６（ｂ）は取付部材４の背面斜視図である。
取付部材４は、光コネクタ２をカバー部材３へ取り付けるための部材である。取付部材４は、カバー部材３の内部であってカバー部材３の長手方向における中央部近傍に挿入可能な部材である。図６（ａ），（ｂ）に示すように、取付部材４は、樹脂製の部材であって、フレーム４１を有している。フレーム４１は、光コネクタ２が挿通される開口部４２を備えている。フレーム４１の開口部４２を構成する断面四角形状の内周面のうち互いに対向する面から光コネクタプラグ１の後方へ向けて突出するように一対の第一係合爪４３ａが設けられている。一対の第一係合爪４３ａは、光コネクタ２のコネクタハウジング２２の後端部２４と係合され、また一対の第一係合爪の基部４３ｂで挟み込むことで、光コネクタ２を固定する。フレーム４１の外周面のうち、一対の第一係合爪４３ａおよび基部４３ｂが設けられた面と直交する面から光コネクタプラグ１の前方へ向けて突出するように一対の第二係合爪４４が設けられている。一対の第二係合爪４４は、カバー部材３の張出部３３，３４に設けられた開口部３３Ｂ，３４Ｂと係合する。これにより、取付部材４に固定された光コネクタ２をカバー部材３に取り付けることができる。
【００４０】
なお、本実施形態に係る取付部材４は、光コネクタ２の形状に応じた構造とすることができる。光コネクタ２としては、本実施形態で一例として示したＳＣ型光コネクタの他に、例えばＬＣ型光コネクタやＭＰＯ型光コネクタを用いることができる。カバー部材３に係合される一対の第二係合爪４４の形状は維持しつつ、これらの光コネクタの形状に合わせて、取付部材４の形状を適宜変更してもよい。
【００４１】
図７および図８（ａ），（ｂ）は、光コネクタ２が取付部材４を介してカバー部材３に取り付けられた状態を示している。
図７に示すように、光コネクタ２が固定された取付部材４をカバー部材３に取り付けることで、光コネクタ２はその前方部がカバー部材３の収容部３１から突出した状態で、カバー部材３に固定される。
このように光コネクタ２がカバー部材３に固定された状態では、図８（ａ）に示すように、カバー部材３の張出部３３，３４の前端面３３Ｅ，３４Ｅが、光コネクタ２の前端面２Ａよりも前方に突出する。また、図８（ｂ）に示すように、カバー部材３に収容された光コネクタ２を中心として対向する位置に、上部張出部３３と下部張出部３４との間に設けられた一組の切欠き部３５，３６同士が配置されている。すなわち、光コネクタ２がカバー部材３に固定された状態において、光コネクタ２の外周面における互いに対向する側面部はカバー部材３には覆われていない。
【００４２】
以上説明した第一実施形態の構成によれば、光コネクタ２の前端面２Ａよりも前方に突出するカバー部材３の張出部３３，３４によって光コネクタ２の前端面を簡易的に保護することができる。また、張出部３３，３４は光コネクタ２の周方向における全周を覆っているわけではなく、光コネクタ２を中心に対向する位置には空間部である一組の切欠き部３５，３６が設けられている。そのため、光コネクタ２の前端面および側面の状態が一組の切欠き部３５，３６から容易に観察可能であるとともに、一組の切欠き部３５，３６を介して光コネクタ２の前端面の清掃作業も容易に行うことができる。
【００４３】
また、第一実施形態に係る光コネクタプラグ１は、光コネクタ２をカバー部材３に取付けるための部材であって、カバー部材３の内部であってカバー部材３の長手方向における中央部近傍に挿入可能な取付部材４を備えている。そして、本実施形態に係る取付部材４は、光コネクタ２の形状に応じた構造とすることができる。カバー部材に光コネクタを直接固定する構成では、ＳＣ型光コネクタではなくＬＣ型光コネクタやＭＰＯ型光コネクタを用いたい場合にカバー部材自体の構造を各光コネクタの形式に合わせて変更しなければならない。しかし、本実施形態においては、光コネクタ２は取付部材４を介してカバー部材３に取り付けられるため、様々な光コネクタに応じて取付部材４の構造を変更することで、光コネクタプラグ１のその他の部品（例えばカバー部材３）を共通化することができる。
【００４４】
また、第一実施形態においては、取付部材４は、作業者が容易に触れることのできるカバー部材３の張出部３３，３４に設けられた開口部３３Ｂ，３４Ｂと係合されてカバー部材３に固定されている。
そのため、光コネクタ２をカバー部材３に取り付けた後でも、張出部３３，３４に係合された取付部材４の係合爪４３を開口部３３Ｂ，３４Ｂの外側から内側に向けて押し込むことで、カバー部材３に固定された取付部材４を容易に取り外すことができる。
【００４５】
さらに、第一実施形態においては、カバー部材３が一組の張出部３３，３４を一体的に備えているため、異なる形状の光コネクタを、カバー部材３を介してレセプタクル１０に容易に接続することができる。
【００４６】
（第二実施形態）
図９は、第二実施形態に係る光コネクタプラグ、および光コネクタプラグと嵌合可能な光コネクタ用レセプタクルを示す斜視図である。図１０は、図９に示す光コネクタプラグおよび光コネクタ用レセプタクルの分解図である。以下、光コネクタ用レセプタクル側（図１０の左側）を光コネクタプラグの前方側とし、反対側（図１０の右側）を光コネクタプラグの後方側として説明する。なお、第一実施形態と共通の部材については詳細な説明は省略する。
【００４７】
図９および図１０に示すように、光コネクタプラグ１０１は、光コネクタ用レセプタクル（以下、レセプタクルとする）１１０に着脱自在に取り付け可能である。
光コネクタプラグ１０１は、光コネクタ１０２と、光コネクタ１０２が収容されるカバー部材１０３と、を備えている。カバー部材１０３は、外部ハウジング１０３ａと、水密部材１０３ｂと、取付部材１０４とから構成される。外部ハウジング１０３ａは円筒状の部材であって、光コネクタ１０２が取付部材１０４とともにその内部に収容される。また、水密部材１０３ｂは、光コネクタプラグ１０１をレセプタクル１１０に取り付けた際の防水性を担保するための部材である。
【００４８】
光コネクタプラグ１０１は、さらに、結合部材１０５と、押さえ部材１０６と、ブーツ１０７とを備えている。結合部材１０５は、光コネクタプラグ１０１をレセプタクル１１０と結合させるための部材であって、カバー部材１０３の外部ハウジング１０３ａの周囲に摺動可能に設けられている。ブーツ１０７は、外部ハウジング１０３ａの後端部に連結され、後述の光ファイバコードＣを覆っている。なお、カバー部材１０３とブーツ１０７との間にはＯリング１０８が配置され、光コネクタプラグ１０１を組み立てた際の防水性を担保している。
【００４９】
レセプタクル１１０は、ネジ穴を貫通させたネジＳによって例えば壁面（不図示）に固定して用いられる。レセプタクル１１０は、光コネクタプラグ１０１側に張り出した筒状部１１２を有している。筒状部１１２内には、光コネクタ１０２と接続可能なアダプタ１１４が挿入されて保持される。筒状部１１２は、その内部にアダプタ１１４が挿入された状態で、光コネクタプラグ１０１の取付部材１０４が備える後述の一組の張出部を受け入れるための開口部１１２Ａ，１１２Ｂを備えている。なお、第一実施形態と同様に、光コネクタプラグ１０１は、いわゆるバヨネットロック方式でレセプタクル１１０に接続される。
【００５０】
図１１（ａ）は、取付部材１０４の正面斜視図であり、図１１（ｂ）は取付部材１０４の底面斜視図である。
取付部材１０４は、光コネクタ１０２を外部ハウジング１０３ａへ取り付け固定するための部材である。取付部材１０４は、外部ハウジング１０３ａの内部に挿入可能な部材である。図１１（ａ），（ｂ）に示すように、取付部材４は、樹脂製の部材であって、収容部１４１と、一組の張出部１４３，１４４とを有している。収容部１４１は略円筒状であって、その内部に光コネクタ１０２の後端側が収容される。収容部１４１には、当該収容部１４１から光コネクタプラグ１０１の前方へ向けて突出するように配置された一対の係合爪１４２が設けられている。この一対の係合爪１４２は、取付部材１０４に固定された状態の光コネクタ１０２を中心として互いに対向するように配置されており、光コネクタ１０２を両側から挟み込むことで光コネクタ１０２を取付部材１０４に固定する。
【００５１】
一組の張出部１４３，１４４は、収容部１４１と一体的に形成され、収容部１４１の前方に向けて突出するように配置されている。一組の張出部１４３，１４４のうち上部張出部１４３の上面部には、その長手方向中央部に沿って凸部１４３Ａが設けられている。当該凸部１４３Ａは、レセプタクル１１０の筒状部１１２に設けられた上側の開口部１１２Ａの形状と一致するように形成されている。
【００５２】
下部張出部１４４は、上部張出部１４３と対向するように略平行に設けられている。下部張出部１４４の下面部には、その長手方向中央部に沿って凸部１４４Ａが設けられている。当該凸部１４４Ａは、レセプタクル１１０の筒状部１１２に設けられた下側の開口部１１２Ｂの形状と一致するように形成されている。
【００５３】
上部張出部１４３と下部張出部１４４との間には、収容部１４１から突出する光コネクタ１０２の前端部が収容される空間部が設けられている。ここで、上部張出部１４３の一方の側面と下部張出部１４４の一方の側面との間の空間部を切欠き部１４５とし、上部張出部１４３の他方の側面と下部張出部１４４の他方の側面との間の空間部を切り欠き部１４６とする。一組の切欠き部１４５，１４６同士は、光コネクタ１０２が取付部材１０４に固定された際に、光コネクタ１０２を中心として対向する位置に設けられている。すなわち、光コネクタ１０２の取付状態において、光コネクタ１０２の長手方向に直交する方向の同一平面において、光コネクタ１０２と、切欠き部１４５および切欠き部１４６とが直線上に配置されている。
【００５４】
なお、第二実施形態に係る取付部材１０４は、第一実施形態と同様に、光コネクタ１０２の形状に応じた構造とすることができる。なお、本例の光コネクタ１０２は、例えばＳＣ型光コネクタであるが、ＬＣ型光コネクタやＭＰＯ型光コネクタを用いることもできる。外部ハウジング１０３ａに取付部材１０４が適切に収容されるように取付部材１０４の外部形状は維持しつつ、光コネクタ１０２の形状に応じて取付部材１０４の筒内形状および／または一対の係合爪１４２の形状を適宜変更してもよい。
【００５５】
図１２は、押さえ部材１０６の斜視図である。
押さえ部材１０６は、取付部材１０４とともに外部ハウジング１０３ａ内に収容される部材であって、外部ハウジング１０３ａ内において取付部材１０４と当接する当接部１０６ａを備えている。押さえ部材１０６は、当接部１０６ａが取付部材１０４の後端部と当接することで取付部材１０４を外部ハウジング１０３ａ内で位置決めおよび固定する。押さえ部材１０６にはその長手方向に沿って切り欠かれたスリット１０６ｂが形成されている。当該スリット１０６ｂを介して、光ファイバコードＣから引き出された光ファイバ心線を押さえ部材１０６の内部に収容可能である。
【００５６】
図１３は、光コネクタプラグ１０１が組立てられた状態を示す断面図である。
光コネクタプラグ１０１を組み立てる際には、まず、光ファイバコードＣから引き出された光ファイバ心線（不図示）を光コネクタ１０２へ導入する。次に、光コネクタ１０２を取付部材１０４に固定し、光コネクタ１０２が固定された状態の取付部材１０４を外部ハウジング１０３ａの後方から外部ハウジング１０３ａ内に挿入する。水密部材１０３ｂは、外部ハウジング１０３ａとレセプタクル１１０から張り出した筒状部１１２との間に挟み込まれる。このとき、外部ハウジング１０３ａの円筒内の前端部に形成された突起部（不図示）に取付部材１０４の前端部が当接することで、取付部材１０４（および光コネクタ１０２）のさらに前方への移動が規制される。すなわち、図１３に示すように、一組の張出部１４３，１４４および光コネクタ１０２の前面部が外部ハウジング１０３ａから突出した状態で、外部ハウジング１０３ａに固定される。次に、光コネクタ１０２と連結されている光ファイバ心線を、スリット１０６ｂを介して押さえ部材１０６内に収容する。そして、押さえ部材１０６を外部ハウジング１０３ａの後方から挿入して、押さえ部材１０６の当接部１０６ａを取付部材１０４の後端部と当接させる。最後に、外部ハウジング１０３ａの後端部にブーツ１０７を連結させる。このようにして、光コネクタプラグ１０１が組立てられる。
【００５７】
図９および図１３に示されるように、光コネクタ１０２が取付部材１０４を介して外部ハウジング１０３ａ内部に固定された状態では、光コネクタ１０２の前端面および取付部材１０４の張出部１４３，１４４の前端面は外部ハウジング１０３ａの前端面よりも前方に突出している。また、取付部材１０４の張出部１４３，１４４の前端面は、光コネクタ２の前端面２Ａよりもわずかに前方に突出している。
【００５８】
また、外部ハウジング１０３ａに収容された光コネクタ１０２を中心として対向する位置に、取付部材１０４の上部張出部１４３と下部張出部１４４との間に設けられた一組の切欠き部１４５，１４６同士が配置されている。すなわち、光コネクタ１０２が取付部材１０４を介して外部ハウジング１０３ａに固定された状態において、光コネクタ１０２の外周面における互いに対向する側面部は外部ハウジング１０３ａおよび取付部材１０４には覆われていない。
【００５９】
以上説明した第二実施形態の構成によれば、第一実施形態と同様に、一組の張出部１４３，１４４によって光コネクタ１０２の前端を簡易的に保護することができるとともに、光コネクタ１０２の前端面および側面の状態が一組の切欠き部１４５，１４６から容易に観察可能で、一組の切欠き部１４５，１４６を介して光コネクタ１０２の前端面の清掃作業も容易に行うことができる。
【００６０】
また、第二実施形態に係る光コネクタプラグ１０１においては、カバー部材１０３は、外部ハウジング１０３ａと、光コネクタ１０２を外部ハウジング１０３ａに固定するための取付部材１０４とを含み、取付部材１０４は、一組の張出部１４３，１４４を一体的に備えている。収容部１４１および一組の張出部１４３，１４４を備えた取付部材１０４は、第一実施形態の取付部材１０４に比べて大きいため、外部ハウジング１０３ａへ挿入して固定する際の組立性が良好である。これにより、光コネクタプラグ１０１の組立時の作業効率を向上させることができる。
【００６１】
（第三実施形態）
図１４は、第三実施形態に係る、光コネクタプラグおよび光コネクタ用レセプタクルの分解図である。図１５は、第三実施形態に係る光コネクタプラグが組立てられた状態を示す断面図である。なお、第一実施形態および／または第二実施形態と共通の部材については詳細な説明は省略する。
【００６２】
第三実施形態に係る光コネクタプラグ２０１は、光コネクタ２０２と、光コネクタ２０２が収容されるカバー部材２０３と、を備えている。カバー部材２０３は、外部ハウジング２０３ａと、取付部材２０４とから構成される。光コネクタプラグ２０１は、さらに、結合部材２０５と、押さえ部材２０６と、ブーツ２０７とを備えている。
【００６３】
第三実施形態に係る光コネクタ２０２は、いわゆるＬＣ型光コネクタである。カバー部材２０３のうち、外部ハウジング２０３ａおよび水密部材２０３ｂは、第二実施形態の外部ハウジング１０３ａおよび水密部材１０３ｂと同形状の部材である。取付部材２０４は、収容部２４１および一組の張出部２４３，２４４を備えている。収容部２４１は、光コネクタ２０２の形状に応じた構造を有しているため、第二実施形態の取付部材１０４の収容部１４１とは異なる形状を採用している。また、一組の張出部２４３，２４４は、第二実施形態と同様に、レセプタクル２１０の筒状部２１２に挿入されるのに適した形状を備えている。
【００６４】
押さえ部材２０６は、弾性部材２０６ａと、ガイド部材２０６ｂとを備えている。弾性部材２０６ａは、本例においては例えばコイルバネである。ガイド部材２０６ｂは、光ファイバコードＣから引き出される不図示の光ファイバ心線を外部ハウジング２０３ａ内で案内するものである。ガイド部材２０６ｂにより案内された光ファイバ心線は、光コネクタ２０２の後端側から光コネクタ２０２内に導入される。弾性部材２０６ａは、図１５の断面図に示される光コネクタプラグ２０１の組立状態において、外部ハウジング２０３ａの内部に収容され、取付部材２０４の後端部とブーツ２０７の前端部との間に配置される。また、ガイド部材２０６ｂは、弾性部材２０６ａがその外周に配置された状態で外部ハウジング２０３ａの内部に収容され、その後端部がブーツ２０７の前端部近傍に固定される。このように、第三実施形態に係る光コネクタプラグ２０１においては、取付部材２０４は、弾性部材２０６ａによって付勢されているため、外部ハウジング２０３ａ内に挿入された状態で外部ハウジング２０３ａの長手方向に沿って移動可能である。
【００６５】
ところで、取付部材２０４が備える一組の張出部２４３，２４４の接続先であるレセプタクル２１０は、その形状がアダプタ２１４の種類によって異なっていたり、一組の張出部２４３，２４４の受け入れる開口部の前後方向における寸法誤差が生じたりする場合がある。
これに対して、第三実施形態に係る光コネクタプラグ２０１においては、取付部材２０４は、外部ハウジング２０３ａ内に挿入された状態で外部ハウジング２０３ａの長手方向に沿って移動可能であるため、レセプタクル２１０の形状差や寸法誤差を吸収することができる。これにより、光コネクタプラグ２０１とレセプタクル２１０との適切な接続を図ることができる。
【００６６】
（第四実施形態）
図１６は、第四実施形態に係る光コネクタプラグと光コネクタ用レセプタクルとが嵌合された状態を示す斜視図である。図１７は、図１６に示す光コネクタプラグおよび光コネクタ用レセプタクルの分解図である。図１７は、図１６に示される光コネクタプラグおよび光コネクタ用レセプタクルから、それらの周方向に９０度回転させた状態で示している。以下、光コネクタ用レセプタクル側（図１７の左側）を光コネクタプラグの前方側とし、反対側（図１７の右側）を光コネクタプラグの後方側として説明する。なお、第一実施形態と共通の部材については詳細な説明は省略する。
【００６７】
図１６および図１７に示すように、光コネクタプラグ３０１は、光コネクタ用レセプタクル（以下、レセプタクルとする）３１０に着脱自在に取り付け可能である。
光コネクタプラグ３０１は、光コネクタ３０２と、光コネクタ３０２が収容されるカバー部材３０３と、結合部材３０８と、ケーブルグランド３０９とを備えている。ケーブルグランド３０９は、外部ハウジング３０４の後端部に連結され、図１６に示されるように光ファイバコードＣを覆っている。なお、各部材間にはＯリング３２０が配置され、光コネクタプラグ３０１を組み立てた際および光コネクタプラグ３０１をレセプタクル３１０に取り付けた際の防水性を担保している。
【００６８】
カバー部材３０３は、外部ハウジング３０４と、取付部材３０５とから構成される。取付部材３０５は、光コネクタ３０２を直接保持するコネクタホルダ３０６と、コネクタホルダ３０６がその内部に収容される保護部材３０７とから構成されている。
【００６９】
図１８（ａ）は、レセプタクル３１０の斜視図であり、図１８（ｂ）は、レセプタクル３１０の内面に後述のバネ（弾性部材）が取り付けられた状態の斜視図であり、図１８（ｃ）は、レセプタクル３１０の内面にバネが取り付けられた状態の後面図である。
レセプタクル３１０は、例えば壁面（不図示）に固定して用いられる。レセプタクル３１０は、光コネクタプラグ３０１側に張り出した筒状部３１２（収容部の一例）を有している。第一実施形態と同様に、光コネクタプラグ３０１は、いわゆるバヨネットロック方式でレセプタクル３１０に接続される。図１６に示されるように、光コネクタプラグ３０１とレセプタクル３１０との嵌合時には、筒状部３１２の内部に光コネクタプラグ３０１の外部ハウジング３０４が収容されるとともに外部ハウジング３０４内に収容された光コネクタ３０２および保護部材３０７の一組の張出部（後述）が筒状部３１２の前面から前方へ向けて突出する。また、本実施形態での図示は省略するが、筒状部３１２内には、光コネクタ３０２と接続可能なアダプタ（図９、図１０参照）が挿入可能である。
【００７０】
筒状部３１２の内面には、バネ３１５を取り付けるための一組のバネ収容部３１３、および後述の保護部材３０７の一組の張出部と係合可能な一組の凸部３１４が設けられている。一組のバネ収容部３１３の各々は、図１８（ｃ）に示されるように、筒状部３１２の内面において上下方向で互いに対向する位置に設けられている。一組の凸部３１４は、一組のバネ収容部３１３を繋ぐ仮想線とは直交する仮想線上の位置、すなわち、筒状部３１２の内面において左右方向で互いに対向する位置に設けられている。
【００７１】
各バネ収容部３１３は、その前方側にバネ３１５の周囲全体を覆うような円筒状の部分３１３ａを有し、その後方側にバネ３１５の一部を覆うような断面半円状の部分３１３ｂを有している。半円状の部分３１３ｂには筒状部３１２の後面側から前面側に向けて突出する突起３１３ｃが設けられている。
【００７２】
図１８（ｂ）に示されるように、この一組のバネ収容部３１３にバネ３１５がそれぞれ収容される。バネ３１５は、その一端が、バネ収容部３１３の半円状の部分３１３ｂ側から円筒状の部分３１３ａに差し込まれ、その他端が、半円状の部分３１３ｂの内部に設けられた突起３１３ｃに嵌合することで収容される。このように、バネ３１５は、その一部が半円状の部分３１３ｂからレセプタクル３１０の内面に露出した状態でバネ収容部３１３へ収容されている。
【００７３】
図１９（ａ）は、外部ハウジング３０４の前面斜視図であり、図１９（ｂ）は、外部ハウジング３０４の後面斜視図であり、図１９（ｃ）は、外部ハウジング３０４にＯリング３２０が取り付けられた状態の側面図である。
外部ハウジング３０４は、略円筒状の部材であって、光コネクタ３０２が取付部材３０５とともにその内部に収容される。外部ハウジング３０４は、円筒状の本体部３０４ａと、本体部３０４ａの前端面に設けられたフランジ３０４ｂと、フランジ３０４ｂから前方側（レセプタクル３１０側）に向けて突出する一組の突起部３０４ｃと、を備えている。フランジ３０４ｂは本体部３０４ａよりも拡径された部分である。フランジ３０４ｂの内周面には、一組の爪部３０４ｂ１が設けられている。一組の突起部３０４ｃは、レセプタクル３１０のバネ収容部３１３に収容されたバネ３１５と当接する部材であって、当該バネ収容部３１３に対応する位置に設けられている。なお、一組の爪部３０４ｂ１同士をつなぐ仮想線と、一組の突起部３０４ｃ同士をつなぐ仮想線とが略直交するように、一組の爪部３０４ｂ１および一組の突起部３０４ｃが配置されている。また、本体部３０４ａの外周面には、長手方向に沿って長尺凸部３０４ｄが２箇所に設けられている。この長尺凸部３０４ｄは、本体部３０４ａの後端部から前方へかけて延びている（ただし、本体部３０４ａの前端部までは延びていない）。なお、図１９（ｃ）に示すように、外部ハウジング３０４のフランジ３０４ｂの後方にはＯリング３２０が取り付けられる。
【００７４】
図２０（ａ）は、結合部材３０８の斜視図であり、図２０（ｂ）は、結合部材３０８と外部ハウジング３０４との組付状態を示す斜視図である。
結合部材３０８は、光コネクタプラグ３０１をレセプタクル３１０と結合（嵌合）させるための部材であって外部ハウジング３０４の周囲に摺動可能に設けられている。図２０（ａ）に示すように、結合部材３０８は、前方側の大径部３０８ａおよび後方側の小径部３０８ｂから構成されており、大径部３０８ａと小径部３０８ｂとの間には段部３０８ｃが形成されている。結合部材３０８の内面には、外部ハウジング３０４の外周面に設けられた２箇所の長尺凸部３０４ｄと対応する位置に凹部３０８ｄが設けられている。
【００７５】
図２０（ｂ）に示すように、外部ハウジング３０４は、結合部材３０８の前方から挿入され、外部ハウジング３０４の長尺凸部３０４ｄが結合部材３０８の凹部３０８ｄに嵌合されることで、結合部材３０８は外部ハウジング３０４の周囲で前後方向に摺動可能となる。前方から結合部材３０８に挿入された外部ハウジング３０４は、そのフランジ３０４ｂが結合部材３０８の段部３０８ｃとＯリング３２０を介して当接することで、結合部材３０８に対して後方へのさらなる移動が規制される。このとき、外部ハウジング３０４の長尺凸部３０４ｄは本体部３０４ａの前方側には設けられていないため、結合部材３０８の凹部３０８ｄは長尺凸部３０４ｄから外れた状態となる。そのため、外部ハウジング３０４のフランジ３０４ｂと結合部材３０８の段部３０８ｃとが当接された状態で、結合部材３０８を周方向に回転させることが可能となる。結合部材３０８を周方向に少し回転させると、長尺凸部３０４ｄと凹部３０８ｄとの位置が周方向においてずれることとなり、外部ハウジング３０４の結合部材３０８に対する前方への移動が規制される。このようにして、外部ハウジング３０４と結合部材３０８とがロック状態で組み立てられる。
【００７６】
図２１（ａ）は、コネクタホルダ３０６の側面図であり、図２１（ｂ）はコネクタホルダ３０６の後面図である。
コネクタホルダ３０６は、光コネクタ３０２を後述の保護部材３０７を介して外部ハウジング３０４へ取り付け固定するための部材である。コネクタホルダ３０６は、外部ハウジング３０４の内部に後方から挿入可能な部材である。図２１（ｂ）に示すように、コネクタホルダ３０６は、光コネクタ３０２（ここでは、一組のＬＣコネクタ）を収容可能な一組の開口部３０６ａを有している。そして各開口部３０６ａの斜め下方には外部と連通するスリット３０６ｂがそれぞれ設けられている。コネクタホルダ３０６に光コネクタ３０２を収容する際には、まず、光コネクタ３０２に接続された光ファイバ心線（図示省略）をスリット３０６ｂから開口部３０６ａ内に挿入し、次に、光ファイバ心線を後方へ向けて引っ張る。これにより、光コネクタ３０２を開口部３０６ａに収容することができる。なお、図２１（ａ）に示されるようにコネクタホルダ３０６の外周面には上下一組の爪部３０６ｃが突出して設けられている。
【００７７】
図２２（ａ）は、保護部材３０７の前面側斜視図であり、図２２（ｂ）は保護部材３０７の後面側斜視図である。また、図２３は、光コネクタ３０２が取り付けられた取付部材３０５（コネクタホルダ３０６および保護部材３０７）と外部ハウジング３０４との組立状態の斜視図である。
保護部材３０７は、光コネクタ３０２が収容されたコネクタホルダ３０６を外部ハウジング３０４へ取り付け固定するとともに、光コネクタ３０２の前端面を保護するための部材である。保護部材３０７は、外部ハウジング３０４の内部に前方から挿入可能な部材である。保護部材３０７は、収容部３０７ａと、一組の張出部３０７ｂとを有している。収容部３０７ａは、コネクタホルダ３０６の外形に対応する形状を有しており、その内部にコネクタホルダ３０６（および光コネクタ３０２）が収容される。収容部３０７ａには、その周方向における四隅にスリット３０７ａ１が設けられている。コネクタホルダ３０６が収容される際に、このスリット３０７ａ１が外側に少し広がることでコネクタホルダ３０６が収容部３０７ａ内に容易に挿入される。収容部３０７ａの上面および下面には、コネクタホルダ３０６の一組の爪部３０６ｃと係合可能な第一開口部３０７ａ２が設けられている。また、収容部３０７ａの左側面および右側面には、外部ハウジング３０４の一組の爪部３０４ｂ１と係合可能な第二開口部３０７ａ３が設けられている。第二開口部３０７ａ３は、光コネクタプラグ３０１の長手方向に沿って一定の長さを有している。そのため、図２３に示すように、保護部材３０７が外部ハウジング３０４に収容されたときには、各爪部３０４ｂ１が各第二開口部３０７ａ３と係合した状態で保護部材３０７は外部ハウジング３０４に対して前後方向に移動可能となる。
【００７８】
一組の張出部３０７ｂは、収容部３０７ａと一体的に形成され、収容部３０７ａの前方に向けて突出するように配置されている。一組の張出部３０７ｂの外面には、それぞれ、その長手方向中央部に沿って溝部３０７ｂ１が設けられている。当該溝部３０７ｂ１は、レセプタクル３１０の筒状部３１２の内面に設けられた一組の凸部３１４の形状と一致するように形成されている。
【００７９】
一組の張出部３０７ｂの間には、収容部３０７ａから突出する光コネクタ３０２の前端部が収容される空間部が設けられている。一組の張出部３０７ｂと当該一組の張出部３０７ｂの間に設けられた切欠き部との関係は、第一〜第三実施形態と同様である。
【００８０】
図２４は、光コネクタプラグ３０１が組立てられ、当該光コネクタプラグ３０１がレセプタクル３１０と嵌合した状態を示す断面斜視図である。
【００８１】
本実施形態に係る光コネクタプラグ３０１を組み立てる際には、まず、光ファイバコードＣ（図１６参照）に結合部材３０８およびケーブルグランド３０９を挿通しておく。次に、光ファイバコードＣから引き出された光ファイバ心線（図示省略）を光コネクタ３０２へ導入する。次に、光コネクタ３０２に接続された光ファイバ心線をコネクタホルダ３０６のスリット３０６ｂから挿入し後方へ引っ張ることで光コネクタ３０２をコネクタホルダ３０６の開口部３０６ａ内に収容する。次に、保護部材３０７を外部ハウジング３０４の前方から外部ハウジング３０４内に挿入しておく。このとき、外部ハウジング３０４のフランジ３０４ｂの内面に形成された爪部３０４ｂ１と保護部材３０７の第二開口部３０７ａ３とが係合することで、保護部材３０７は、第二開口部３０７ａ３の長さ分だけ前後方向への移動が担保されつつ、外部ハウジング３０４へ取り付けられる。
【００８２】
そして、光コネクタ３０２が固定された状態のコネクタホルダ３０６を外部ハウジング３０４の後方から外部ハウジング３０４内に挿入し、さらに、外部ハウジング３０４へ収容されている保護部材３０７の内部にコネクタホルダ３０６を挿入する。このとき、保護部材３０７の収容部３０７ａに形成された第一開口部３０７ａ１とコネクタホルダ３０６の爪部３０６ｃとが係合することで、コネクタホルダ３０６が保護部材３０７に固定される。このようにして、図２３および図２４に示すように、光コネクタ３０２の前面部および保護部材３０７の一組の張出部３０７ｂが外部ハウジング３０４から突出した状態で、光コネクタ３０２、コネクタホルダ３０６および保護部材３０７が外部ハウジング３０４内に収容される。
【００８３】
次に、光ファイバコードＣに挿通された状態の結合部材３０８を前方に移動し、外部ハウジング３０４の周囲に挿通する。このとき、外部ハウジング３０４の長尺凸部３０４ｄが結合部材３０８の凹部３０８ｄに嵌合された状態で、外部ハウジング３０４は結合部材３０８に通され、フランジ３０４ｂが結合部材３０８の段部３０８ｃとＯリング３２０を介して当接する。この状態で、結合部材３０８を周方向に回転させることで、外部ハウジング３０４の結合部材３０８に対する前後方向への移動が規制され、外部ハウジング３０４と結合部材３０８とがロック状態で組み付けられる。最後に、外部ハウジング３０４の後端部に光ファイバコードＣに挿通されていたケーブルグランド３０９を連結させる。このようにして、光コネクタプラグ３０１が組立てられる。なお、レセプタクル３１０と外部ハウジング３０４のフランジ３０４ｂ前端面との間、フランジ３０４ｂ後端面と結合部材３０８の段差３０８ｃとの間、および外部ハウジング３０４の本体部３０４ａ後端面とケーブルグランド３０９との間には、それぞれＯリング３２０が配置され、光コネクタプラグ３０１とレセプタクル３１０との接続構造における防水性が担保されている。
【００８４】
上記の通り組立てられた光コネクタプラグ３０１をレセプタクル３１０に接続する際には、保護部材３０７の一組の張出部３０７ｂがレセプタクル３１０の一組の凸部３１４と係合した状態で、レセプタクル３１０の筒状部３１２内に光コネクタプラグ３０１の前端部が挿入される。このとき、光コネクタ３０２がレセプタクル３１０内のアダプタ（不図示）と接続されるとともに、図２４に示されるように、外部ハウジング３０４の一組の突起部３０４ｃがレセプタクル３１０の内面からその一部が露出したバネ３１５と当接する。一組の突起部３０４ｃとバネ３１５とが当接した状態で、光コネクタプラグ３０１の結合部材３０８がレセプタクル３１０側にさらに押し込まれて回転されることで、上述のバヨネットロック方式により光コネクタプラグ３０１とレセプタクル３１０とが接続される。
【００８５】
このように、光コネクタプラグ３０１とレセプタクル３１０との嵌合時、すなわち、光コネクタ３０２がレセプタクル３１０に収容されたアダプタと接続されるときに、外部ハウジング３０４の一組の突起部３０４ｃがレセプタクル３１０の内面のバネ３１５と当接することで、外部ハウジング３０４は光コネクタプラグ３０１の長手方向に沿って後方（レセプタクル３１０とは反対側）へ付勢されることとなる。また、このとき、図２３に示すように、保護部材３０７は、外部ハウジング３０４内に挿入された状態で外部ハウジング３０４の長手方向に沿って第二開口部３０７ａ３の長さ分だけ移動可能となっている。
【００８６】
ところで、保護部材３０７が備える一組の張出部３０７ｂの係合先であるレセプタクル３１０は、その形状がアダプタの種類によって異なっていたり、一組の張出部３０７ｂを受け入れる開口部の前後方向における寸法誤差が生じたりする場合がある。そのため、光コネクタをアダプタへ接続する際の押圧力が掛かり続けた状態となってしまい、光コネクタとアダプタとの接続不良や破損等が発生し得る。
【００８７】
これに対して、第四実施形態に係る光コネクタプラグ３０１は、レセプタクル３１０との嵌合時において、取付部材３０５（保護部材３０７）が外部ハウジング３０４内に挿入された状態で外部ハウジング３０４の長手方向に沿って移動可能であるとともに、外部ハウジング３０４が光コネクタプラグ３０１の長手方向に沿って後方へ付勢される。そのため、光コネクタ３０２とアダプタとの接続時に加えられた押圧力を開放することができる。これにより、レセプタクル３１０の形状差や寸法誤差を吸収して、光コネクタプラグ３０１とレセプタクル３１０との適切な接続を図ることができる。
【００８８】
また、本実施形態では、外部ハウジング３０４の前面部にレセプタクル３１０側に突出する突起部３０４ｃが設けられるとともに、レセプタクル３１０の内面にバネ３１５が設けられ、突起部３０４ｃとバネ３１５が当接することで、外部ハウジング３０４が後方に付勢される構成となっている。これにより、嵌合時に光コネクタ３０２へ加えられる押圧力の開放を容易に行うことができる。
【００８９】
また、外部ハウジング３０４の突起部３０４ｃは、保護部材３０７の一組の張出部３０７ｂの間に形成された一組の切欠き部に相当する位置に配置されている。このように、突起部３０４ｃを一組の張出部３０７ｂと干渉しない位置に設けることで、光コネクタプラグ３０１のレセプタクル３１０への適切な嵌合と外部ハウジング３０４の後方への付勢を両立させることができる。
【００９０】
また、外部ハウジング３０４と保護部材３０７とは、互いに係合する凹凸構造を備えている。具体的には、外部ハウジング３０４のフランジ３０４ｂに形成された爪部３０４ｂ１と保護部材３０７の第二開口部３０７ａ３とが係合することで、外部ハウジング３０４に保護部材３０７が取り付けられた状態で、保護部材３０７は第二開口部３０７ａ３の長さ分だけ前後方向への移動が可能となる。
【００９１】
また、保護部材３０７の一組の張出部３０７ｂの外面には外部ハウジング３０４の長手方向に沿って溝部３０７ｂ１が形成され、溝部３０７ｂ１はレセプタクル３１０の内面に形成される凸部３１４と係合可能である。この構成によれば、一組の張出部３０７ｂ１をレセプタクル３１０と適切な位置で係合させることが可能となる。
【００９２】
また、レセプタクル３１０の内面に設けられたバネ収容部３１３に収容されるバネ３１５は、その一部がレセプタクル３１０の内面から露出されている。この構成によれば、レセプタクル３１０に対するバネ３１５の取付性を向上させることができる。
【００９３】
なお、上記の第四実施形態では、外部ハウジング３０４にレセプタクル３１０側に突出する突起部３０４ｃが設けられるとともに、レセプタクル３１０の内面にバネ３１５が設けられた構成となっているが、この例に限られない。例えば、レセプタクルに光コネクタプラグ側に突出する突起部を設ける一方、外部ハウジングに当該突起部と当接する弾性部材を取り付ける構成としても良い。
【００９４】
また、上記の第四実施形態では、外部ハウジング３０４と保護部材３０７とは、互いに係合する凹凸構造を備えている構成となっているが、この例に限られない。例えば、保護部材の外面の断面形状（および、それに対応する外部ハウジングの内面の断面形状）が非軸対称形状（例えば四角形）である場合には凹凸構造を備えなくとも保護部材の前後方向への移動は外部ハウジングによりガイドされ得る。
【００９５】
（第五実施形態）
図２５は、第五実施形態に係る光コネクタプラグを示す斜視図であり、図２６は、図２５に示す光コネクタプラグ、および光コネクタプラグと嵌合可能な光コネクタ用レセプタクルの分解図である。以下、光コネクタ用レセプタクル側（図２６の左側）を光コネクタプラグの前方側とし、反対側（図２６の右側）を光コネクタプラグの後方側として説明する。なお、第一実施形態から第四実施形態と共通の部材については詳細な説明は省略する。
【００９６】
図２５および図２６に示すように、光コネクタプラグ４０１は、光コネクタ用レセプタクル（以下、レセプタクルとする）４１０に着脱自在に取り付け可能である。光コネクタプラグ４０１は、光コネクタ４０２と、光コネクタ４０２が収容されるカバー部材４０３と、結合部材４０５と、第一ケーブルグランド４０６と、を備えている。カバー部材４０３は、外部ハウジング４０３ａと、外部ハウジング４０３ａ内に収容される取付部材４０４ａおよびコネクタホルダ４０４ｂとから構成される。第一ケーブルグランド４０６は、外部ハウジング４０３ａの後端部に連結されている。各部材間にはＯリング４２０が配置され、光コネクタプラグ４０１を組み立てた際および光コネクタプラグ４０１をレセプタクル４１０に取り付けた際の防水性を担保している。
【００９７】
本実施形態において、光コネクタプラグ４０１は、さらに、保護チューブ４０７と、保護管４０８と、第二ケーブルグランド４０９とを備えている。保護チューブ４０７は、例えば樹脂製の部材であって、光コネクタ４０２が保持する短尺ガラスファイバと、光コネクタプラグ４０１の後方側から挿入される光ファイバコードＣ（図２７参照）から露出された光ファイバ心線との融着接続部を保護するためのものである。例えば、現場にて光ファイバの融着接続作業を行う場合には、作業者は、光コネクタ４０２のフェルールに予め挿入保持された短尺ガラスファイバと、他の伝送用ケーブル（例えば、光ファイバコードＣ）から露出されたガラスファイバ部分とを融着接続する。そして、作業者は、当該融着接続部を保護チューブ４０８で覆ってから、光コネクタ４０２および光コネクタ４０２に接続された光ファイバコードＣを外部ハウジング４０３ａ内に収容する。このように、ガラスファイバの融着接続部を保護チューブ４０８で保護することで、光コネクタプラグ４０１をレセプタクル４１０に嵌合する現場で融着接続作業が必要となった場合にも、融着接続部の保護を適切に行うことができる。
【００９８】
保護管４０８は、第一ケーブルグランド４０６の後端に連結されており、図２７（ａ），（ｂ）に示すように、その内部に光ファイバコードＣが収容される。保護管４０８は、硬質プラスチックあるいは金属から構成されており、蛇腹状の構造を有していることが好ましい。保護管４０８は、柔らかすぎると保護管としての役目を果たさないが、固すぎると光コネクタプラグ４０１に大きな歪を与えてしまう虞があるため光コネクタプラグ４０１の全長を長大化させる必要が出てきてしまう。これに対して、本実施形態においては、保護管４０８は、硬質プラスチックあるいは金属から構成され、さらに蛇腹状構造を有している。そのため、第二ケーブルグランド４０９の後端側に導出する光ファイバコードＣが曲げられた際に、保護管５０８が光ファイバコードＣに追随して曲がる程度の柔軟さ（可撓性）を有することができる。
【００９９】
第二ケーブルグランド４０９は、図２７（ｂ）に示すように、その前半部において密閉部材４１０（例えば、樹脂パッキン）を介して保護管４０８の後端に連結されている。また、第二ケーブルグランド４０９は、その後半部において、密閉部材４１０を介して光ファイバコードＣを固定している。このように、第二ケーブルグランド４０９は、密閉部材４１０を介して、保護管４０８と連結されるとともに光ファイバコードＣを固定しているため、防水性が維持されている。なお、第一ケーブルグランド４０６や第二ケーブルグランド４０９（これらを構成するナット部品）は、保護管４０８と同様に、硬質プラスチックあるいは金属から構成されていることが好ましいが、必ずしも保護管４０８と同一材料で構成される必要はない。
【０１００】
以上説明したように、第五実施形態に係る光コネクタプラグ４０１は、可撓性を有する保護管４０８をさらに備え、当該保護管４０８は、その一端側がカバー部材４０３の後端側に結合され、他端側には第二ケーブルグランド４０９が連結されている。このように、可撓性を備えた保護管４０８を設けることで、光コネクタプラグ４０１内の光コネクタ４０２に接続される光ファイバを適切に保護しつつ、第二ケーブルグランド４０９の後端側に導出する光ファイバコードＣが曲げられた際にも当該コードの曲げに追随して保護管４０８を曲げることができ、光コネクタ４０２に与えられる歪みを低減させることができる。
【０１０１】
（第六実施形態）
図２８は、第六実施形態に係る光コネクタプラグの斜視図である。なお、第一実施形態から第五実施形態と共通の部材については詳細な説明は省略する。
【０１０２】
図２８に示すように、光コネクタプラグ５０１は、カバー部材５０３と、カバー部材５０３がその内部に挿通される結合部材５０５と、を備えている。カバー部材５０３の内部には、第一実施形態等と同様の光コネクタ（不図示）が収容される。結合部材５０５は、カバー部材５０３の周囲で回転および摺動可能であるとともに、光コネクタ用レセプタクル（不図示）とバヨネットロック方式で結合可能である。カバー部材５０３の外周には、結合部材５０５と係合可能な係合部材５０７が設けられている。以下、レセプタクル側を光コネクタプラグ５０１の前方側とし、反対側を光コネクタプラグ５０１の後方側として説明する。
【０１０３】
図２９（ａ）に示すように、本実施形態に係る結合部材５０５の後端には後方に向けて突出する突出部５０６が設けられており、突出部５０６に開口部５０６Ａが形成されている。図２９（ｂ）に示すように、カバー部材５０３の外周に設けられる係合部材５０７は、カバー部材５０３の外周形状に沿った環状部５０８と、当該環状部５０８から前方に突出する突出部５０９とを備えている。係合部材５０７は、環状部５０８によってカバー部材５０３に取り付け可能である。突出部５０９の先端部には、結合部材５０５の開口部５０５Ａに係合可能な係合凸部５０９Ａが形成されている。また、突出部５０９の中間部には、当該突出部５０９を押圧するための押圧凸部５０９Ｂが形成されている。
【０１０４】
図３０（ａ）に示すように、本実施形態においては、カバー部材５０３が挿通された結合部材５０５の開口部５０６Ａに、カバー部材５０３の周囲に取り付けられた係合部材５０７の係合凸部５０９Ａが係合する。これにより、カバー部材５０３に対して回転および摺動可能に設けられている結合部材５０５の回転および摺動をロックすることができる。また、図３０（ｂ）に示すように、係合部材５０７の押圧凸部５０９Ｂを押圧することで、結合部材５０５の開口部５０６Ａと係合部材５０７の係合凸部５０９Ａとの係合を解除することができる。
【０１０５】
ところで、第一実施形態から第五実施形態に記載の光コネクタプラグをレセプタクルと係合させる場合には、壁面等に固定されているレセプタクルのアダプタに光コネクタプラグの光コネクタを接続させてから、結合部材をバヨネットロック方式でレセプタクルに嵌合させる必要がある。このとき、作業者が結合部材を持って光コネクタプラグをレセプタクルと嵌合させると、光コネクタプラグ側の光コネクタとレセプタクル側のアダプタとが接続していない状態で結合部材とレセプタクルとが嵌合してしまうおそれがあった。
【０１０６】
これに対して、本実施形態の光コネクタプラグ５０１は、レセプタクルと結合可能であってカバー部材５０３が挿通される結合部材５０５を備え、カバー部材５０３の外周には結合部材５０５と互いに着脱容易に係合する係合部材５０９が設けられている。この構成により、結合部材５０５の回転や摺動をロックすることができる。そのため、光コネクタプラグ５０１をレセプタクルに嵌合させるためには、まず、光コネクタとアダプタとを接続させてから結合部材５０５のカバー部材５０３に対するロックを解除して、結合部材５０５を回転および摺動させつつレセプタクルに嵌合させることとなる。したがって、光コネクタとアダプタとが適切に接続されていない状態での結合部材５０５のレセプタクルへの誤嵌合を防ぐことができる。
【０１０７】
図３０（ａ），（ｂ）に示すように、係合部材５０７はカバー部材５０３の外周に着脱可能に取り付けられる部材であるため、結合部材５０５をロックしておくことが必要な場合にのみ、係合部材５０７をカバー部材５０３に取り付けるようにしても良い。なお、本実施形態では、係合部材５０７は、カバー部材５０３とは別体で構成されているが、カバー部材５０３の外周に一体的に形成されていても良い。
【０１０８】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【０１０９】
本出願は、２０１５年２月２３日出願の日本特許出願（特願２０１５−０３２８７５）、２０１５年９月２５日出願の日本特許出願（特願２０１５−１８８１１５）、および２０１５年１１月６日出願の日本特許出願（特願２０１５−２１８２６４）に基づくものであり、その内容はここに参照として取り込まれる。
【図１】
2016136592.tif 000003
【図２】
2016136592.tif 000004
【図３】
2016136592.tif 000005
【図４】
2016136592.tif 000006
【図５】
2016136592.tif 000007
【図６】
2016136592.tif 000008
【図７】
2016136592.tif 000009
【図８】
2016136592.tif 000010
【図９】
2016136592.tif 000011
【図１０】
2016136592.tif 000012
【図１１】
2016136592.tif 000013
【図１２】
2016136592.tif 000014
【図１３】
2016136592.tif 000015
【図１４】
2016136592.tif 000016
【図１５】
2016136592.tif 000017
【図１６】
2016136592.tif 000018
【図１７】
2016136592.tif 000019
【図１８】
2016136592.tif 000020
【図１９】
2016136592.tif 000021
【図２０】
2016136592.tif 000022
【図２１】
2016136592.tif 000023
【図２２】
2016136592.tif 000024
【図２３】
2016136592.tif 000025
【図２４】
2016136592.tif 000026
【図２５】
2016136592.tif 000027
【図２６】
2016136592.tif 000028
【図２７】
2016136592.tif 000029
【図２８】
2016136592.tif 000030
【図２９】
2016136592.tif 000031
【図３０】
2016136592.tif 000032
【国際調査報告】
2016136592.tif 000033
2016136592.tif 000034
2016136592.tif 000035
2016136592.tif 000036